(57)【特許請求の範囲】
【請求項１】
複数の画像表示装置を平面的に並べて構成されるマルチディスプレイ装置に取り付けられるシステムフレームであって、
三角柱状に形成された長尺部材であり、長手方向に延びる設置面と、長手方向に延び、設置面に対して傾斜する一対の傾斜面とを有し、各傾斜面に表示領域からの出射光を反射する光反射面が形成された反射部材と、
反射部材の設置面に連結される連結部分と、マルチディスプレイ装置に取付可能な取付部分とを有する取付部材とを備え、
取付部材の連結部分は、反射部材の長手方向への伸縮を許容するように、反射部材の設置面にて連結されていることを特徴とするシステムフレーム。
【請求項２】
前記取付部材の連結部分は、反射部材の設置面に対して複数箇所で連結され、複数の連結箇所のうち、一の連結箇所では、連結部分と反射部材とが固定されるように連結され、残余の連結箇所では、反射部材が連結部分に変位自在に連結されていることを特徴とする請求項１に記載のシステムフレーム。
【請求項３】
複数の画像表示装置を平面的に並べて構成されるマルチディスプレイ装置の画像表示装置間に取り付けられるシステムフレームであって、
前記取付部材の取付部分は、板ばね構造を有することを特徴とする請求項１または２に記載のシステムフレーム。
【請求項４】
前記取付部材の取付部分は、マルチディスプレイ装置を構成する画像表示装置に係合可能な係合部を有することを特徴とする請求項１〜３のいずれか１つに記載のシステムフレーム。
【請求項５】
前記反射部材における長手方向の端部のうちの伸縮が許容されている端部を被覆し、外表面に表示領域からの出射光を反射する光反射面が形成されたカバー部材をさらに備えることを特徴とする請求項１〜４のいずれか１つに記載のシステムフレーム。
【発明の詳細な説明】
【技術分野】
【０００１】
本発明は、マルチディスプレイ装置において、画像表示装置における画像の表示領域間に形成される、画像を表示することができない非表示領域を目立たなくさせるためのシステムフレームに関する。
【背景技術】
【０００２】
近年、インフォメーションディスプレイおよび業務用ディスプレイとして、画像を表示可能な平面表示パネルを備える画像表示装置を、複数台縦横に隣接して配置することによって、全体として１つの大きな画像を表示可能なマルチディスプレイ装置が用いられるようになっている。
【０００３】
マルチディスプレイ装置は、複数の表示パネルを並べることで大型の画面を容易に構築することができる反面、各画像表示装置間の継目部分には、ベゼルとも称される額縁が配置されるため、画像を表示することができない領域（以下、「非表示領域」と称する）が形成されることになる。この非表示領域により、マルチディスプレイ装置で表示される大型の画面は、格子状の線が入ったように見えてしまい、表示される画像の品位が低下してしまうという問題がある。
【０００４】
このような問題を解決するための従来技術は、たとえば特許文献１，２に提案されている。特許文献１に記載される従来技術では、画像光を投影する複数の投影機と、各投影機から投影される画像光を平行光にする複数のフレネルレンズと、平行光にされた画像光の結像位置に設けられ、画像光を前方へ導く複数の導光体によって構成されるスクリーン部とを備え、各導光体において画像光入力端面に対して画像光出力端面が中心側に偏倚するように、各導光体を構成する光ファイバを湾曲させることにより、スクリーン部の前端面に、額縁の生じない統一画像表示面を形成したマルチディスプレイ装置が提案されている。
【０００５】
この特許文献１に記載される従来技術では、マルチディスプレイ装置を実現するための構成が複雑となるだけでなく、マルチディスプレイ装置を実現するために、画素数に相当する本数の光ファイバの束が必要となり、製造コストが高額になってしまうという問題がある。
【０００６】
また、特許文献２に記載される従来技術では、ディスプレイの筐体の中に投射装置を設け、前面がスクリーンになっている投射型ディスプレイを複数個上下左右に重ねることによって構成されるマルチ投射型スクリーンにおいて、目地となる部分を目立たなくさせるために、その目地となる部分に、凸レンズ構造を有するレンズ状スクリーンを設置することが提案されている。この特許文献２には、レンズ状スクリーンをマルチ投射型スクリーン上に固定するために、透明な接着剤や複数の透明なネジを用いることが記載されている。
【０００７】
マルチディスプレイ装置を、液晶表示パネルやプラズマディスプレイパネルなどの平面表示パネルを備える画像表示装置で構成する場合、額縁付近の温度は、周辺環境の温度変化による影響だけでなく、装置稼動時に画像表示装置自体が発生する熱の影響を受けて、広い範囲で変化する。したがって、額縁に対して、額縁を目立たなくさせるための部材を別途に設置する場合、額縁付近の温度変化に伴う熱膨張・熱収縮を考慮する必要があるが、特許文献２のマルチ投射型スクリーンは、投射型ディスプレイを用いているため、熱膨張・熱収縮を考慮した設計とはなっていない。
【先行技術文献】
【特許文献】
【０００８】
【特許文献１】特開２００４−１７７６３２号公報
【特許文献２】特開２０００−１８０９６４号公報
【発明の概要】
【発明が解決しようとする課題】
【０００９】
本発明の目的は、簡単な構成でかつ安価な製造コストで、マルチディスプレイ装置における非表示領域を、額縁付近の温度環境によらずに確実に目立たなくさせることができるシステムフレームを提供することである。
【課題を解決するための手段】
【００１０】
本発明は、複数の画像表示装置を平面的に並べて構成されるマルチディスプレイ装置に取り付けられるシステムフレームであって、
三角柱状に形成された長尺部材であり、長手方向に延びる設置面と、長手方向に延び、設置面に対して傾斜する一対の傾斜面とを有し、各傾斜面に表示領域からの出射光を反射する光反射面が形成された反射部材と、
反射部材の設置面に連結される連結部分と、マルチディスプレイ装置に取付可能な取付部分とを有する取付部材とを備え、
取付部材の連結部分は、反射部材の長手方向への伸縮を許容するように、反射部材の設置面にて連結されていることを特徴とするシステムフレームである。
【００１１】
また本発明は、前記取付部材の連結部分は、反射部材の設置面に対して複数箇所で連結され、複数の連結箇所のうち、一の連結箇所では、連結部分と反射部材とが固定されるように連結され、残余の連結箇所では、反射部材が連結部分に変位自在に連結されていることを特徴とする。
【００１２】
また本発明は、複数の画像表示装置を平面的に並べて構成されるマルチディスプレイ装置の画像表示装置間に取り付けられるシステムフレームであって、
前記取付部材の取付部分は、板ばね構造を有することを特徴とする。
【００１３】
また本発明は、前記取付部材の取付部分は、マルチディスプレイ装置を構成する画像表示装置に係合可能な係合部を有することを特徴とする。
【００１４】
また本発明は、前記反射部材における長手方向の端部のうちの伸縮が許容されている端部を被覆し、外表面に表示領域からの出射光を反射する光反射面が形成されたカバー部材をさらに備えることを特徴とする。
【発明の効果】
【００１５】
本発明によれば、簡単な構成でかつ安価な製造コストで、マルチディスプレイ装置における非表示領域を、額縁付近の温度環境によらずに目立たなくさせることができる。これにより、マルチディスプレイ装置に表示される画像の品位が低下してしまうことを防止することができる。
【図面の簡単な説明】
【００１６】
【図１】本発明の一実施形態に係るシステムフレーム３０が取り付けられた状態のマルチディスプレイ装置１を示す正面図である。
【図２】図１の切断面線ＩＩ−ＩＩから見た断面を簡素化して示す図である。
【図３】マルチディスプレイ装置１の正面図である。
【図４】システムフレーム３０の構成を示す斜視図である。
【図５】システムフレーム３０の構成を示す正面図である。
【図６】システムフレーム３０の構成を示す平面図である。
【図７】図５の切断面線ＶＩＩ−ＶＩＩから見た断面図である。
【図８】図７における反射部材３１と取付部材３２との連結部付近を拡大して示す断面図である。
【図９】図１における部分Ａを拡大して示す斜視図である。
【図１０】反射部材３１の一端部３１ａ近傍における設置面４１を拡大して示す設置面図である。
【図１１】直線領域Ｖ２１に配置されるベゼル２１に対してシステムフレーム３０を取り付けた状態を示す一部の斜視図である。
【図１２】表示パネル２０の表示面２０ａと反射部材３１の傾斜面４２とが成す角度θを示す図である。
【図１３】マルチディスプレイ装置１の表示状態を示す正面図であり、図１３（１）は、システムフレーム３０が取り付けられていないときの画面の表示状態を示し、図１３（２）は、システムフレーム３０が取り付けられたときの画面の表示状態を示す図である。
【図１４】本実施例におけるマルチディスプレイ装置１を図１の切断面線ＩＩ−ＩＩから見た断面図である。
【図１５】本発明の他の実施形態に係るシステムフレーム１３０が取り付けられた状態のマルチディスプレイ装置１を示す正面図である。
【図１６】図１５における部分Ｂを拡大して示す平面図である。
【発明を実施するための形態】
【００１７】
図１は、本発明の一実施形態に係るシステムフレーム３０が取り付けられた状態のマルチディスプレイ装置１を示す正面図である。図２は、図１の切断面線ＩＩ−ＩＩから見た断面を簡素化して示す図である。図３は、マルチディスプレイ装置１の正面図であって、システムフレーム３０が取り外された状態のマルチディスプレイ装置１を示している。
【００１８】
マルチディスプレイ装置１は、画像情報に応じた画像を表示可能な表示パネル２０（以下では、「液晶パネル２０」と記す場合がある）を備える複数台の画像表示装置１０（以下では、「液晶表示装置１０」と記す場合がある）を、各表示パネル２０がマトリクス状にまたは一方向に沿って平面的に並ぶように、互いに近接させて配置することによって構成され、各画像表示装置１０に対し、１つの画像を表示パネル２０の配置に応じて分割した分割画像の画像情報を与えることによって、複数の表示パネル２０が全体として前記１つの画像を表示することができるように構成されている。
【００１９】
本実施形態に係るマルチディスプレイ装置１は、図１に示すように、４台の画像表示装置１０を、縦横２×２のマトリクス状に並ぶように配置して構成されている。他の実施形態では、たとえば１６台の画像表示装置１０を、縦横４×４のマトリクス状に並ぶように配置して構成してもよく、一方向に沿って３台の画像表示装置１０が並ぶように配置して構成してもよい。
【００２０】
マルチディスプレイ装置１を構成する各画像表示装置１０には、矩形平板状に構成される表示パネル２０の厚み方向一方側の面であって、画像が表示される側の面（以下、「表示面」と称する）２０ａにおける矩形枠状の周縁領域を覆うように、額縁であるベゼル２１が設けられる。ベゼル２１は、表示パネル２０の表示面２０ａにおける前記周縁領域の形状に対応して、矩形枠状に形成されている。以下、表示パネル２０の表示面２０ａにおいて、ベゼル２１に覆われずに、外部に露出している矩形状の領域を、「表示領域」と称し、参照符Ｖ１を付して示す。すなわち、各画像表示装置１０の表示領域Ｖ１に、前記分割画像が表示される。
【００２１】
したがって、図３に示すように、システムフレーム３０が取り付けられていないマルチディスプレイ装置１を正面（すなわち、表示面２０ａに対向する側）から見たとき、平面的に並んで配置される各表示領域Ｖ１に挟まれる領域には、ベゼル２１の表面が露出し、画像を表示することができない。このように、各表示領域Ｖ１によって挟まれ、画像を表示することができない領域を、「非表示領域」と称し、参照符Ｖ２を付して示す。すなわち、マルチディスプレイ装置１には、格子状に非表示領域Ｖ２が形成される。
【００２２】
また、図３に示すように、格子状に形成される非表示領域Ｖ２において、交差している部分を「交差領域」と称し、参照符Ｖ２２を付して示し、残余の部分を「直線領域」と称し、参照符Ｖ２１を付して示す。すなわち、交差領域Ｖ２２は、縦横２×２のマトリクス状に並ぶ各表示領域Ｖ１の互いに近接する角部によって囲まれる矩形状の領域に相当する。本実施形態では、非表示領域Ｖ２は、１つの交差領域Ｖ２２と、該交差領域Ｖ２２に隣接する４つの直線領域Ｖ２１とによって構成される。
【００２３】
また、マルチディスプレイ装置１において、ベゼル２１の表面が露出する領域のうち、非表示領域Ｖ２を除く残余の領域を、「外枠領域」と称し、参照符Ｖ３を付して示す。すなわち、外枠領域Ｖ３は、全ての表示領域Ｖ１および非表示領域Ｖ２を外囲する矩形枠状の領域である。
【００２４】
本実施形態に係るマルチディスプレイ装置１は、図１および図２に示すように、各表示領域Ｖ１によって挟まれる十字状の非表示領域Ｖ２に配置されるベゼル２１を覆うように、非表示領域Ｖ２の直線領域Ｖ２１ごとに、システムフレーム３０が取り付けられて構成されている。
【００２５】
以下、システムフレーム３０の構成について詳細に説明する。
図４は、システムフレーム３０の構成を示す斜視図である。図５は、システムフレーム３０の構成を示す正面図である。図６は、システムフレーム３０の構成を示す平面図である。図７は、図５の切断面線ＶＩＩ−ＶＩＩから見た断面図である。図８は、図７における反射部材３１と取付部材３２との連結部付近を拡大して示す断面図である。図４では、理解を容易にするために、反射部材３１を仮想線で示している。また、図７では、システムフレーム３０の取付部材３２における取付部分５２が、画像表示装置１０間に形成される隙間ｄに挿通された状態を示し、各画像表示装置１０を仮想線で示している。
【００２６】
本実施形態に係るシステムフレーム３０は、非表示領域Ｖ２の直線領域Ｖ２１に配置されるベゼル２１を覆うように、該ベゼル２１上に設置される反射部材３１と、マルチディスプレイ装置１に取付可能に構成されるとともに、反射部材３１が連結される取付部材３２とを含んで構成され、連結用のねじ部材３３を用いて、反射部材３１と取付部材３２とを連結することによって構成されている。
【００２７】
反射部材３１は、長尺に形成された長尺部材であって、その長手方向の一端部３１ａを除く残余の部分は、三角柱状に形成され、詳細には、図７に示すように、長手方向に垂直な仮想一平面で切断したときの断面の形状が、二等辺三角形となるように形成されている。
【００２８】
以下、反射部材３１において、前記二等辺三角形状の断面における底辺に対応する平坦な面を「設置面」と称し、斜辺に対応する平坦な面を「傾斜面」と称し、底辺と斜辺との成す角度を「傾斜角」と称する。
【００２９】
すなわち、反射部材３１は、長手方向に沿って延びる３つの外周面のうち、１つの外周面が設置面４１を成し、残余の外周面が傾斜面４２を成している。設置面４１は、反射部材３１を直線領域Ｖ２１のベゼル２１上に設置する際に、該ベゼル２１に臨んで配置される面である。また、各傾斜面４２は、反射部材３１を直線領域Ｖ２１のベゼル２１上に設置する際に、該直線領域Ｖ２１を挟む各表示領域Ｖ１に臨んで配置される面である。各傾斜面４２は、図７に示すように、設置面４１に対して傾斜角θだけ傾斜するように形成されている。
【００３０】
図９は、図１における部分Ａを拡大して示す斜視図である。反射部材３１において、長手方向の一端部３１ａは、図９に示すように、非表示領域Ｖ２の交差領域Ｖ２２に配置される部分として形成される。この交差領域Ｖ２２には、交差領域Ｖ２２に隣接する４つの直線領域Ｖ２１に対して取り付けられる４つの反射部材３１の各一端部３１ａが、突き合わされて配置される。
【００３１】
したがって、反射部材３１における一端部３１ａの形状は、４つの一端部３１ａを突き合わせて配置したときに、隣接する反射部材３１において、同一の表示領域Ｖ１に臨む傾斜面４２どうしが、隙間なく連接するように形成されている。
【００３２】
具体的には、一端部３１ａは、その先端部３１ｃに向かうにつれて先細となるように形成されている。より詳細には、一端部３１ａから該一端部３１ａとは反対側の他端部３１ｂに亘って三角柱状に形成された反射部材３１の前駆体において、その一端部３１ａを、図６に示すように、設置面４１に垂直な２つの仮想平面Ｐ１によって切断することによって形成される。したがって、反射部材３１における２つの傾斜面４２は、台形状に形成されている。
【００３３】
ここで、２つの仮想平面Ｐ１とは、２つの傾斜面４２が交わって形成される稜線４３を含み、かつ設置面４１に垂直な仮想平面Ｐ０を、先端部３１ｃを含み設置面４１に垂直な仮想線Ｊ１まわりに、回転角＋φおよび−φだけ回転させた仮想平面のことである。回転角φは、交差領域Ｖ２２に突き合わせて配置される４つの反射部材３１の幅寸法（すなわち、設置面４１において長手方向に垂直な方向の寸法）Ｗに応じて決定される。たとえば、４つの反射部材の幅寸法Ｗが互いに等しい場合には、φ＝４５°に決定される。
【００３４】
反射部材３１の幅寸法Ｗは、取付対象のマルチディスプレイ装置１を構成する画像表示装置１０のベゼル２１の幅寸法に応じて決定される。一例を挙げると、非表示領域Ｖ２の直線領域Ｖ２１に配置される各ベゼル２１の幅寸法が２．４ｍｍと４．１ｍｍであるようなマルチディスプレイ装置１を取付対象とする場合、反射部材３１の幅寸法Ｗは、マルチディスプレイ装置１における画像表示装置１０間に形成される隙間ｄ（図２参照）の間隔を考慮して、１０ｍｍ程度に決定される。なお、画像表示装置１０間には、マルチディスプレイ装置１の設置環境などに応じて、１ｍｍ〜３ｍｍ程度の間隔を有する隙間ｄが形成されている。
【００３５】
また、反射部材３１の長手方向の寸法Ｌは、取付対象のマルチディスプレイ装置１を構成する画像表示装置１０の画面サイズに応じて決定される。具体的には、先端部３１ｃを交差領域Ｖ２２の中央部に配置したときに、他端部３１ｂにおける端面３１ｄが、外枠領域Ｖ３におけるベゼル２１上に配置されるように決定される。
【００３６】
反射部材３１は、ポリカーボネート樹脂、アクリル樹脂およびＡＢＳ（Acrylonitrile-Butadiene-Styrene）樹脂などの合成樹脂材料によって形成され、２つの傾斜面４２にはそれぞれ、台形状の表面全体に亘って、高い反射率で光を反射する光反射面が形成される。
【００３７】
このような光反射面としては、たとえばアルミニウムなどの金属薄膜を真空蒸着することによって形成してもよく、白色塗料を用いてピアノ鏡面塗装などを行うことによって形成してもよい。なお、両者を比較した場合、白色塗料による塗装で形成する方が、低コストおよび大量生産が可能というメリットがあるという点で好ましい。ここで、ピアノ鏡面塗装とは、ポリエステル塗装を施した後に特殊研磨を施すことで、表面にピアノのような光沢を付加する塗装方法である。
【００３８】
図１０は、反射部材３１の一端部３１ａ近傍における設置面４１を拡大して示す底面図である。反射部材３１には、図１０に示すように、設置面４１における一端部３１ａ寄りの部分において、ねじ部材３３を螺合可能なめねじ部４４が形成されている。本実施形態では、めねじ部４４は、反射部材３１の設置面において、長手方向に並ぶように２箇所に形成されている。
【００３９】
取付部材３２は、大略的に板状に形成される部材であり、反射部材３１の設置面４１に対して連結される連結部分５１と、マルチディスプレイ装置１において画像表示装置１０間に形成される隙間ｄに挿通されることによって、該マルチディスプレイ装置１に取り付けられる取付部分５２とから成る。取付部材３２は、反射部材３１の合成樹脂材料よりも大きな線膨張率を有する材料、たとえばステンレスなどの金属材料によって一体的に形成されている。
【００４０】
連結部分５１は、大略的に矩形板状に形成されており、反射部材３１の設置面４１に形成されているめねじ部４４の数に対応して、２つの貫通孔６１，６２が、連結部分５１の厚み方向に貫通するように形成されている。
【００４１】
２つの貫通孔６１，６２は、ねじ部材３３の軸部８１が挿通可能なサイズに形成されており、反射部材３１の設置面４１に形成されている２つのめねじ部４４の間隔に対応した距離だけ離間するように設けられている。したがって、各貫通孔６１，６２にそれぞれ挿通した２つのねじ部材３３を、各めねじ部４４に対してそれぞれ螺着させることができ、これによって、連結部分５１と反射部材３１との連結が行われる。すなわち、本実施形態では、連結部分５１と反射部材３１とは、２箇所で連結可能である。
【００４２】
また、２つの貫通孔６１，６２は、連結部分５１の長手方向に沿って並ぶように設けられている。したがって、連結部分５１と反射部材３１とを連結したとき、両者は互いの長手方向が平行になるように連結されている。
【００４３】
取付部分５２は、連結部分５１における幅方向の一端部５１ａに連なり、連結部分５１に対して直角に屈曲するように設けられる第１取付部分５３と、第１取付部分５３における幅方向（すなわち、連結部分５１における長手方向）の一端部５３ａに連なり、第１取付部分５３に対して直角に屈曲するように設けられる第２取付部分５４とによって構成される。
【００４４】
詳細には、第１取付部分５３は、連結部分５１における厚み方向一方側の表面である取付面６３とは反対側の裏面６４から直角に立ち上がるように設けられている。また、第２取付部分５４は、第１取付部分５３における厚み方向一方側の表面７３から直角に立ち上がるように設けられている。なお、第１取付部分５３における表面７３は、連結部分５１の一端部５１ａを介して取付面６３に連なる側の面である。
【００４５】
第１取付部分５３は、大略的に矩形板状に形成されており、画像表示装置１０間に形成される隙間ｄに挿通されたとき、隣接するベゼル２１の側面間に亘って突っ張るように形成される２つの板ばね部７１と、画像表示装置１０間に形成される隙間ｄに挿通されたとき、画像表示装置１０の一部、たとえばベゼル２１に係合可能な係合部７２とが形成されている。
【００４６】
板ばね部７１は、第１取付部分５３を成している板状部分の一部によって構成され、基端部７１ａに対し、遊端部７１ｂが第１取付部分５３の厚み方向他方側に突出するように、すなわち、遊端部７１ｂが、前記表面７３とは反対側の表面７４から突出するように形成されている。板ばね部７１は、有端部７１ｂに対して、第１取付部分５３の厚み方向他方側から一方側へ向かう方向に外力が付与されたとき、第１取付部分５３の厚み方向一方側へ弾性変形する。板ばね部７１は、このときの弾性回復力によりばね力を生ずる。また、板ばね部７１は、遊端部７１ｂが、基端部７１ａに対して、連結部分５１側に配置されるように形成されている。
【００４７】
係合部７２は、第１取付部分５３を成している板状部分の一部によって構成され、基端部７２ａに対し、遊端部７２ｂが第１取付部分５３の厚み方向一方側に突出するように、すなわち、遊端部７２ｂが、前記表面７３から突出するように形成されている。また、係合部７２は、板ばね部７１に対して連結部分５１とは反対側に形成されており、板ばね部７１と同様に、遊端部７２ｂが、基端部７２ａに対して、連結部分５１側に配置されるように形成されている。
【００４８】
第２取付部分５４は、図６に示すように、反射部材３１と連結部分５１とを連結したとき、反射部材３１の長手方向において、反射部材３１の先端部３１ｃに一致する位置に配置されるように形成される。
【００４９】
本実施形態では、連結部分５１に形成される２つの貫通孔６１，６２のうち、第２取付部分５４側に配置される一方の貫通孔６１は、円孔によって形成され、ねじ部材３３を該貫通孔６１を通して反射部材３１のめねじ部４４に螺着したとき、連結部分５１における貫通孔６１の周辺部分と反射部材３１とを締結することができるように形成されている。この一方の貫通孔６１を挿通したねじ部材３３は、反射部材３１の一端部３１ａ側に形成されるめねじ部４４に螺着される。
【００５０】
また、他方の貫通孔６２は、連結部分５１の長手方向に沿って延びる長孔に形成され、ねじ部材３３を該貫通孔６２を通して反射部材３１のめねじ部４４に螺着したとき、連結部分５１における貫通孔６２の周辺部分と反射部材３１とが締結されないように形成されている。この他方の貫通孔６２を挿通したねじ部材３３は、反射部材３１の他端部３１ｂ側に形成されるめねじ部４４に螺着される。
【００５１】
つまり、本実施形態では、連結部分５１における貫通孔６１の周辺部分と反射部材３１とは、固定されるように連結され、連結部分５１における貫通孔６２の周辺部分と反射部材３１とは、反射部材３１が連結部分５１に対して変位自在に連結されている。
【００５２】
図１１は、直線領域Ｖ２１に配置されるベゼル２１に対してシステムフレーム３０を取り付けた状態を示す一部の斜視図である。システムフレーム３０における反射部材３１は、図１１に示すように、同一面上で隣接する２つの表示パネル２０を外囲するベゼル２１上に設置される。反射部材３１の各傾斜面４２に形成される光反射面は、表示領域Ｖ１におけるベゼル２１近傍の反射対象領域Ｖ１１から矢符Ａ１で示すように放射される光を矢符Ａ２で示すように反射する。これにより、非表示領域Ｖ２に配置されるベゼル２１は、正面からマルチディスプレイ装置１の表示画面を視認する看者には認識されず、実質的に非表示領域Ｖ２に配置されるベゼル２１を隠蔽し、マルチディスプレイ装置１全体としての表示画像のベゼル２１による表示品位の低下を防止することができる。
【００５３】
図１２は、表示パネル２０の表示面２０ａと反射部材３１の傾斜面４２とが成す角度θを示す図である。反射部材３１の傾斜面４２の傾斜角θの範囲は、４５°≦θ≦９０°に選ばれる。傾斜角θは、大きければ大きいほど、ベゼル２１近辺の表示光を反射し易いが、あまり傾斜角θを大きくすると、反射部材３１の表示面２０ａからの突出高さＨが設置面４１の幅寸法Ｗに比べて大きくなり、幅方向（図１２の左右方向）に作用する外力などによる曲げ荷重に対して構造上弱くなるため、傾斜角θは６０°〜８０°が好適である。
【００５４】
たとえば、傾斜面４２の傾斜角θが６０°であるとき、ベゼル２１の幅ｂ３の約２倍の幅寸法ｂ４（ｂ４≒２・ｂ３）の反射対象領域Ｖ１１の表示画像を、約１／２サイズで表示することができる。したがって傾斜面４２に形成される光反射面に映った反射画像は、反射対象領域Ｖ１１の表示画像に色調や輝度などの表示特性が類似しており、ベゼル２１が露出している場合に比べて、各表示パネル２０の表示領域Ｖ１間にベゼル２１が線状に露呈することが防がれる。
【００５５】
図１３は、マルチディスプレイ装置１の表示状態を示す正面図であり、図１３（１）は、システムフレーム３０が取り付けられていないときの画面の表示状態を示し、図１３（２）は、システムフレーム３０が取り付けられたときの画面の表示状態を示す図である。
【００５６】
システムフレーム３０が取り付けられたマルチディスプレイ装置１は、図１３（２）から明らかなように、反射部材３１がベゼル２１に設けられることによって、互いに隣接する各表示領域Ｖ１間に配置される各ベゼル２１が、図１３（１）のような額縁線として認識されることを防ぎ、画像の高い表示品位を実現することができる。
【００５７】
また、本実施形態では、非表示領域Ｖ２における交差領域Ｖ２２において、反射面どうしが隙間なく連接するように各反射部材３１が配置され、システムフレーム３０は、取付部材３２の連結部分５１が、このように配置される反射部材３１の一端部３１ａ寄りの部分に対して連結されるように構成されている。これにより、ベゼル２１付近の温度変化に伴って、反射部材３１が熱膨張・熱収縮するとき、その他端部３１ｂ側を大きく伸縮させて、一端部３１ａ側への熱膨張・熱収縮による影響を可及的に抑制することができる。したがって、ベゼル２１付近に温度変化が生じたとしても、交差領域Ｖ２２における反射面間に不所望な隙間が形成されることを防止することができるので、ベゼル２１付近の温度環境によらずに確実に額縁線を目立たなくさせることができる。
【００５８】
また、本実施形態では、反射部材３１と取付部材３２の連結部分５１とが複数箇所で連結され、複数の連結箇所のうち、一の連結箇所では、連結部分５１と反射部材３１とが固定されるように連結され、残余の連結箇所では、反射部材３１が連結部分５１に対して変位自在に連結されている。これにより、熱膨張・熱収縮に伴う反射部材３１の屈曲を防止しつつ、反射部材３１の自重などによる撓みを防止することができる。本実施形態では、連結箇所が２箇所であるが、３箇所以上であってもよい。また、連結箇所は、反射部材３１の一端部３１ａ寄りの部分だけに限らず、反射部材３１の他端部３１ｂ寄りの部分が含まれていてもよい。
【００５９】
また、本実施形態では、取付部材３２が、マルチディスプレイ装置１の構築時に形成される画像表示装置１０間の隙間ｄに挿通可能に構成され、この取付部材３２の第１取付部分５３には、その厚み方向に弾性変形可能な板ばね部７１が設けられている。したがって、システムフレーム３０は、画像表示装置１０間に形成される隙間ｄの間隔に関係なく、マルチディスプレイ装置１に対して確実に取り付けることができる。
【００６０】
また、本実施形態では、取付部材３２の第１取付部分５３には、画像表示装置１０間の隙間ｄに挿通されたときに、一方あるいは両方の画像表示装置１０に係合可能な係合部７２が設けられている。これにより、システムフレーム３０がマルチディスプレイ装置１から容易に離脱してしまうことを防止することができる。
【００６１】
また、本実施形態では、板ばね部７１および係合部７２はそれぞれ、遊端部７１ｂ，７２ｂが、基端部７１ａ，７２ａに対して、連結部分５１側に配置されるように形成されている。したがって、システムフレーム３０を、画像表示装置１０間の隙間ｄに対し正面側から挿通することができ、マルチディスプレイ装置１に対して容易に取り付けることができる。
【００６２】
また、本実施形態では、取付部材３２が、取付対象の直線領域Ｖ２１における隙間ｄに挿通される第１取付部分５３だけでなく、第１取付部分５３に対して直角に屈曲するように設けられる第２取付部分５４を有している。これにより、システムフレーム３０をマルチディスプレイ装置１に取り付ける際、第１取付部分５３と第２取付部分５４とが連接している前記一端部５３ａは、交差領域Ｖ２２における中央部に配置される。したがって、この一端部５３ａを基準として、反射部材３１と取付部材３２とを連結しておくことにより、反射部材３１をベゼル２１上に容易に位置決めして設置することができる。
【００６３】
本実施形態に係るシステムフレーム３０を、上下に隣接する画像表示装置１０間の隙間に挿通して取り付ける場合には、板ばね部７１が、第１取付部分５３の表面７４から上方に突出するように取り付けることが好ましい。これにより、画像表示装置１０間に大きな隙間が生じても、ベゼル２１の端部に連結部分５１が当接しているため、反射部材３１が傾いて表示品位が損なわれることを防止することができる。
【００６４】
上記実施形態では、反射部材３１は、合成樹脂材料によって形成されているが、これに限らず、アルミニウム押出材によって形成されてもよい。これにより、合成樹脂材料と比較して、熱膨張・熱収縮に伴う伸縮量を低減することができる。また、反射部材３１が、アルミニウム押出材によって形成される場合には、表面アルマイト処理仕上げを行うのが好ましい。これにより、伸縮量の低減だけでなく、コスト低減を図ることができる。
また、上記実施形態では、反射部材３１は、その他端部３１ｂが外枠領域Ｖ３上に露出するように設けられているが、外枠領域Ｖ３上に配置される他端部３１ｂを被覆するように、カバー部材が別途もうけられてもよい
【００６５】
以下、マルチディスプレイ装置１を構成する画像表示装置１０が、液晶表示装置である場合を例に挙げて説明する。
【００６６】
図１４は、本実施例におけるマルチディスプレイ装置１を図１の切断面線ＩＩ−ＩＩから見た断面図である。マルチディスプレイ装置１は、平面的に並んで配置される複数の液晶表示装置１０と、前述するシステムフレーム３０とを含んで構成される。
【００６７】
液晶表示装置１０は、非発光型の表示パネルである液晶パネル２０と、液晶パネル２０の表示面２０ａにおける矩形枠状の周縁領域を覆うベゼル２１と、液晶パネル２０の背面側に設けられるバックライトユニット２２と、液晶パネル２０とバックライトユニット２２との間に設けられる複数の光学部材２３と、フレーム２４とを含んで構成される。
【００６８】
液晶パネル２０は、横長な矩形状に形成された一対の透光性を有するガラス製の基板と、その一対の基板間に、電界印加に伴って光学特性が変化する物質である液晶分子を封入することによって形成された液晶層とを備え、液晶層の厚さ分のギャップを維持した状態で、一対の基板がシール剤によって貼り合わせられることによって構成されている。矩形状の液晶パネル２０は、液晶表示装置１０の画面サイズが６０インチの場合、短辺の寸法が７６０ｍｍ程度であり、長辺の寸法が１３４０ｍｍ程度である。
【００６９】
一対の基板のうち、一方の基板はＣＦ（Color Filter）基板であり、他方の基板はＴＦＴ（Thin Film Transistor）基板である。ＴＦＴ基板には、液晶層に臨む内面側に、スイッチング素子であるＴＦＴおよび画素電極が多数個並んで設けられるとともに、これらＴＦＴおよび画素電極の周りには、格子状をなすゲート配線およびソース配線が取り囲むようにして配設されている。画素電極は、ＩＴＯ（Indium Tin Oxide）またはＺｎＯ（Zinc Oxide）といった透明電極からなる。
【００７０】
一方、ＣＦ基板には、液晶層に臨む内面側に、各画素に対応した位置に多数個のカラーフィルタが並んで設けられている。カラーフィルタは、Ｒ（red），Ｇ（green），Ｂ（blue）の三色のサブピクセルが交互に並ぶ配置とされる。各カラーフィルタ間には、混色を防ぐための遮光層（ブラックマトリクス）が形成されている。カラーフィルタおよび遮光層の表面には、ＴＦＴ基板側の画素電極と対向する対向電極が設けられている。また、各基板の前記内面側には、液晶層に含まれる液晶分子を配向させるための配向膜がそれぞれ形成され、各基板の内面側とは反対側の外面側には、偏光板がそれぞれ貼り付けられている。
【００７１】
バックライトユニット２２は、一方に開口した略箱型に形成されるバックライトシャーシ２２ａと、バックライトシャーシ２２ａに収容される光源２２ｂと、バックライトシャーシ２２ａ内に敷設される図示しない反射シートとを備える。
【００７２】
バックライトシャーシ２２ａは、金属製であり、液晶パネル２０と同様の横長な矩形状に形成された底板と、該底板の周縁部から立ち上がる側板とによって、一方に開口した略箱型に形成されている。
【００７３】
光源２２ｂは、バックライトシャーシ２２ａにおける底板の内面に設置され、光を出射して、液晶パネル２０を照明する。本実施例では、光源２２ｂは、複数のＬＥＤ（Light Emitting Diode）ランプを、底板の内面上にマトリクス状に配置することによって構成され、さらに、各ＬＥＤランプを個別に制御することによって、エリアごとに光量の制御ができるように構成されている。
【００７４】
反射シートは、光の反射性に優れた白色を呈する合成樹脂製であり、バックライトシャーシ２２ａにおける底板の内面、および側板に装着されるフレーム２４の内面を覆うように敷設される。この反射シートにより、光源２２ｂから出射した光の殆どを、バックライトシャーシ２２ａの開口側へ導くことができる。
【００７５】
光学部材２３は、光学シート２６と、拡散板２７とを含んで構成される。光学シート２６は、本実施形態では、２枚の光学シート２６ａ，光学シート２６ｂによって構成される。光学シート２６は、表示画質を向上させるための種々の機能が付与された機能性樹脂シートから成る。たとえば、拡散板２７を介して背面側から到達した光の進行の向きを、前面側に向ける機能を有する。
【００７６】
拡散板２７は、光源２２ｂから発せられた光を、面方向に拡散することによって、輝度が局所的に偏ることを防止する。拡散板２７では、輝度が面方向に偏ることを防ぐために、光の進行方向は、ベクトル成分として、面方向の成分を多く含む。これに対し光学シート２６は、面方向のベクトル成分を多く含む光の進行方向を、厚み方向の成分を多く含む光の進行方向に変換する。具体的には、光学シート２６は、レンズまたはプリズム状に形成される部分が面方向に多数並んで形成され、これによって、厚み方向に進行する光の拡散度を小さくする。
【００７７】
フレーム２４は、樹脂製であり、大略的に筒状であって、バックライトシャーシ２２ａにおける側板の内面を覆うような形状に形成されている。フレーム２４は、該側板に装着され、ビスなどの締結具によって、側板に対して固定される。
【００７８】
システムフレーム３０は、非表示領域Ｖ２に配置されるベゼル２１を覆うように、該ベゼル２１上に設置される反射部材３１と、マルチディスプレイ装置１に取付可能に構成されるとともに、反射部材３１が連結される取付部材３２とを含んで構成され、取付部材３２を、マルチディスプレイ装置１において液晶表示装置１０間に形成される隙間ｄに挿通することによって、マルチディスプレイ装置１に取り付けられる。
【００７９】
前記の実施例では、マルチディスプレイ装置１を構成する画像表示装置として液晶表示装置１０が用いられているが、画像表示装置としては、画像を表示可能な表示パネルを備え、その表示パネルにおける画像表示領域を外囲するようにベゼルが設けられているものであれば、液晶表示装置１０に限らず、たとえば、自発光型の表示パネルであるプラズマディスプレイパネル（Plasma Display Panel）を備えるプラズマディスプレイ装置、および自発光型の表示パネルである有機ＥＬ（Electroluminescence）パネルを備える有機ＥＬディスプレイ装置などであってもよい。
【００８０】
図１５は、本発明の他の実施形態に係るシステムフレーム１３０が取り付けられた状態のマルチディスプレイ装置１を示す正面図である。図１６は、図１５における部分Ｂを拡大して示す平面図である。本実施形態に係るシステムフレーム１３０は、前述する実施形態に係るシステムフレーム３０と略同一に構成されているので、対応する部分についてはそれぞれ同一の参照符を付し、重複する説明を省略する。
【００８１】
本実施形態に係るシステムフレーム１３０は、非表示領域Ｖ２の直線領域Ｖ２１に配置されるベゼル２１を覆うように、該ベゼル２１上に設置される反射部材１３１と、マルチディスプレイ装置１に取付可能に構成されるとともに、反射部材１３１が連結される取付部材３２とを含んで構成され、連結用のねじ部材３３を用いて、反射部材１３１と取付部材３２とを連結することによって構成されている。
【００８２】
反射部材１３１は、三角柱状に形成された長尺部材であって、長手方向に垂直な仮想一平面で切断したときの断面の形状が、二等辺三角形となるように形成されている。反射部材１３１は、長手方向に沿って延びる３つの外周面のうち、１つの外周面が設置面４１を成し、残余の外周面が傾斜面４２を成している。２つの傾斜面４２にはそれぞれ、表面全体に亘って、高い反射率で光を反射する光反射面が形成される。
【００８３】
本実施形態では、反射部材１３１は、その長手方向の一端部１３１ａが外枠領域Ｖ３側に配置され、他端部１３１ｂが交差領域Ｖ２２側に配置されるように設置される。交差領域Ｖ２２側には、交差領域Ｖ２２に隣接する４つの直線領域Ｖ２１に対して取り付けられる４つの反射部材１３１の各他端部１３１ｂが、互いに間隔を空けて配置される。
【００８４】
また、本実施形態では、一端部１３１ａ近傍における設置面４１に、ねじ部材３３を螺合可能なめねじ部４４が形成されており、取付部材３２の連結部分５１は、反射部材１３１の一端部１３１ａ寄りの部分に対して固定的に連結されている。したがって、ベゼル２１付近の温度変化に伴って、反射部材１３１が熱膨張・熱収縮するとき、一端部１３１ａは熱膨張・熱収縮による影響をあまり受けないのに対し、他端部１３１ｂ側は、大きく伸縮し、これにより、他端部１３１ｂの端面１３１ｄは、長手方向に沿って大きく変位する。
【００８５】
本実施形態に係るシステムフレーム１３０は、さらに、伸縮が許容されている他端部１３１ｂを被覆するカバー部材１３６を含んで構成されている。カバー部材１３６は、非表示領域Ｖ２の交差領域Ｖ２２に取り付けられ、交差領域Ｖ２２付近に配置される４つの反射部材１３１の各他端部１３１ｂを、その内部に収容可能な形状に形成されている。カバー部材１３６は、反射部材１３１と同様に、交差領域Ｖ２２における画像表示装置１０間の隙間ｄに挿通可能な図示しない取付部材によって、交差領域Ｖ２２に取り付けられる。
【００８６】
また、カバー部材１３６は、交差領域Ｖ２２への取付状態において外部に露出する外表面に、各表示パネル２０に臨むように複数の傾斜面１４２が形成され、各傾斜面１４２には、表面全体に亘って、高い反射率で光を反射する光反射面が形成されている。
【００８７】
カバー部材１３６は、その内部の収容空間が、各反射部材１３１の他端部１３１ｂの伸縮を許容するように形成され、また、反射部材１３１の熱膨張・熱収縮に伴う伸縮に関係なく、他端部１３１ｂの端面１３１ｄが、その内部に収容されるような大きさに形成されている。
【００８８】
このように、本実施形態では、非表示領域Ｖ２における交差領域Ｖ２２において、各反射部材１３１の他端部１３１ｂの端面１３１ｄどうしが互いに離間するように配置され、システムフレーム１３０は、取付部材３２の連結部分５１が、このように配置される反射部材１３１の一端部１３１ａ寄りの部分に対して連結されるように構成されている。これにより、ベゼル２１付近の温度変化に伴って、反射部材１３１が熱膨張・熱収縮するとき、一端部１３１ａ側に対し、他端部１３１ｂ側が大きく伸縮する。本実施形態に係るシステムフレーム１３０は、交差領域Ｖ２２に取り付けられ、各反射部材１３１の他端部１３１ｂの端面１３１ｄを、反射部材１３１の熱膨張・熱収縮に伴う伸縮に関係なく収容するようなカバー部材１３６を含んで構成されている。これにより、ベゼル２１付近の温度環境によらずに確実に額縁線を目立たなくさせることができる。
前述する２つの実施形態では、システムフレーム３０，１３０は、取付部材３２が、反射部材３１，１３１の長手方向一方の端部に対して固定的に連結されるように構成されている。しかしながら、これに限らず、格子状の非表示領域Ｖ２１において、複数の交差領域Ｖ２２が形成されるようなマルチディスプレイ装置の場合、交差領域Ｖ２２間に挟まれる直線領域Ｖ２１に対しては、取付部材が反射部材の長手方向中央部に対して固定的に連結されるようなシステムフレームを好適に用いることができる。
【符号の説明】
【００８９】
１  マルチディスプレイ装置
１０  画像表示装置
２０  表示パネル
２０ａ  表示面
２１  ベゼル
３０  システムフレーム
３１  反射部材
３２  取付部材
３３  ねじ部材
Ｖ１  表示領域
Ｖ２  非表示領域
Ｖ２１  直線領域
Ｖ２２  交差領域
【図１】
0005538267.tif 000002
【図２】
0005538267.tif 000003
【図３】
0005538267.tif 000004
【図４】
0005538267.tif 000005
【図５】
0005538267.tif 000006
【図６】
0005538267.tif 000007
【図７】
0005538267.tif 000008
【図８】
0005538267.tif 000009
【図９】
0005538267.tif 000010
【図１０】
0005538267.tif 000011
【図１１】
0005538267.tif 000012
【図１２】
0005538267.tif 000013
【図１３】
0005538267.tif 000014
【図１４】
0005538267.tif 000015
【図１５】
0005538267.tif 000016
【図１６】
0005538267.tif 000017